(57)【要約】【課題】  強度を向上でき、曲種等に合わせて厚みを調整でき、また三味線等の本来の音色を再現し易く、手張りも容易にできる、三味線等の楽器の胴張り用人工皮革を提供する。【解決手段】  合成繊維製の織布２の表裏の両面に下地処理剤３を塗布し、この各下地処理剤３の上に接着剤４を塗布する。また表側の接着剤４の面を化粧用塗料５で被覆する。本考案品１の場合、上記の接着剤４が、キトサンの粉末を含有しているのが好ましい。また本考案品１は、裏側に塗布されている接着剤４の膜厚が、表側に塗布されている接着剤４の膜厚より厚く形成されているのが良い。【選択図】  図１
0003161847.tif 000002
【実用新案登録請求の範囲】
【請求項１】
合成繊維製の織布の表裏の両面に下地処理剤が塗布され、この各下地処理剤の上に接着剤が塗布され、また表側の接着剤の面が化粧用塗料で被覆されていることを特徴とする三味線等の楽器の胴張り用人工皮革。
【請求項２】
請求項1記載の三味線等の楽器の胴張り用人工皮革であって、接着剤が、キトサンの粉末を含有していることを特徴とする三味線等の楽器の胴張り用人工皮革。
【請求項３】
請求項1又は２記載の三味線等の楽器の胴張り用人工皮革であって、裏側に塗布されている接着剤の膜厚が、表側に塗布されている接着剤の膜厚より厚いことを特徴とする三味線等の楽器の胴張り用人工皮革。
【考案の詳細な説明】
【技術分野】
【０００１】
本考案は、人工皮革に関し、更に詳しくは三味線や太鼓、鼓などの楽器の胴に張って使用する人工皮革に関するものである。
【背景技術】
【０００２】
ところで、三味線等の楽器は、演奏する曲種（例えば長唄、小唄、地唄など）によって求められる音色や、音量、或いは奏法が大きく違うため、曲種に合わせて、例えば皮の厚さ等を変える必要がある。また、例えば大きな太鼓の場合は、胴径の長さに応じた大きな一枚皮が必要になる。
【０００３】
而して、従来、この種の楽器は、通常、中空の胴の両面又は片面に、犬や猫などの動物のなめし皮を張っているが、近時は動物愛護の精神から、この種の動物の皮を確保し難いのが実情である。
また最近は、犬や猫等の食べ物の種類が昔とは異なることもあり、三味線等の楽器に適した良質の皮を得られ難いのが現状である。
【０００４】
そこで、この種の問題を解消するため、従来、例えば特許文献１に示される人工皮革が提案されている。
この従来品は、絹糸などの動物性繊維で織った布を、植物性又は鉱物性油脂に十分に浸漬し、自然乾燥した織布に、更にゼラチン、ケラチン、シスチンなどの膠状物質を含浸させて自然乾燥し、なめし皮風に形成しているものである。
【０００５】
しかしながら、この従来品は、上記の通り、動物性繊維で織った布を素材とし、この生地の布目に油脂と膠状物質を含浸させているのに過ぎなかったから、この従来品によると、強度が不十分で耐久性に問題があった。また皮の厚みを曲種等に合わせて調整し難く、従って三味線等の本来の音色を再現し難いものであった。また従来品は、皮が硬くなり易かったから、器械張りには適しても手張りには不向きであった。
【先行技術文献】
【特許文献】
【０００６】
【特許文献１】特開平５−２７９９６６号公報
【考案の概要】
【考案が解決しようとする課題】
【０００７】
本考案は、このような従来品の問題点に鑑み、提案されたものである。
従って本考案の解決しようとする技術的課題は、強度を向上でき、曲種等に合わせて厚みを調整でき、また三味線等の本来の音色を再現し易く、手張りも容易にできるよう形成した三味線等の楽器の胴張り用人工皮革を提供することにある。
【課題を解決するための手段】
【０００８】
本考案は、上記の課題を解決するため、次のような技術的手段を採る。
即ち、本考案品１は、図１等に示されるように、合成繊維製の織布２の表裏の両面に下地処理剤３が塗布され、この各下地処理剤３の上に接着剤４が塗布され、また表側の接着剤４の面が化粧用塗料５で被覆されていることを特徴とする（請求項１）。
【０００９】
ここで、合成繊維としては、ナイロン、ポリエステル、ビニロン、ポリプロピレン等がある。具体的には株式会社クラレのベクトラン（登録商標）、米国デユポン社製のケブラー繊維（登録商標）、東洋紡績（株）のダイニーマ（登録商標）、帝人テクノプロダクツ（株）のテクノーラ（登録商標）等がある。
下地処理剤３は、織布２と接着剤４との密着性を高めるための下塗り塗料である。接着剤４は、通常、表側と裏側で同じ種類のものが使用されるが、異なる種類のものでも良い。また化粧用塗料５は、接着剤４の性質に合わせ、密着性、親和性の良いものを選定する。
【００１０】
而して本考案品１の場合、上記の接着剤４が、キトサンの粉末を含有しているのが好ましい（請求項２）。
なぜならこれによると、キトサンによる抗菌、防臭効果を得られるからである。
【００１１】
また本考案は、裏側に塗布されている接着剤４の膜厚が、表側に塗布されている接着剤４の膜厚より厚く形成されているのが好ましい（請求項３）。
なぜならこれによると、表側の風合いや感触を損なうことなく、目に付かない裏側の部分で皮の強度を高めたり、曲種や楽器の用途に合わせ膜厚を適宜調整できるからである。
【考案の効果】
【００１２】
本考案は、このように合成繊維製の織布の表裏の両面に下地処理剤が塗布され、この各下地処理剤の上に接着剤が塗布され、また表側の接着剤の面が化粧用塗料で被覆されているものである。
従って本考案によれば、織布の性質と両面の接着剤により、強度を向上でき、厚みを曲種等に合わせて適宜調整でき、また三味線等の本来の音色を再現し易く、手張りにも適するものである。
【図面の簡単な説明】
【００１３】
【図１】本考案の皮革の好適な一実施形態を示し、Ａは図２の１Ａ−１Ａ線における断面図、ＢはＡのＢ−Ｂ線拡大断面図である。
【図２】同上皮革を張った三味線の要部平面図である。
【図３】同上皮革の手張りを説明するための要部斜視図である。
【図４】同上皮革の手張りを説明するための要部平面図である。
【考案を実施するための形態】
【００１４】
以下、本考案を実施するための好適な一実施形態を、添付図面に従って説明する。
本考案品１は、図１等に示されるように、合成繊維製の織布２の表裏の両面に、下地処理剤３が塗布されている。織布２の合成繊維は、この実施形態では株式会社クラレのベクトラン（登録商標）が使用され、縦糸より横糸が４倍の太さに選定されて綾織されている。
【００１５】
また、この実施形態では低融点（約１００度）で解けるナイロン繊維が、横糸と共に織り込まれている。そして織布２は、織り上げ後に加熱機に通され、ナイロン繊維の融点より高い温度で加熱されている。これにより、ナイロン繊維が溶解し、縦糸、横糸が接着して強度が高くなるよう形成されている。
【００１６】
下地処理剤３は、この実施形態ではセメダイン（株）のプライマーＰＰ−７Ｆ、品番ＡＲ−１０４が使用されている。そして本考案品１は、下地処理剤３の乾燥後、各下地処理剤３の上に、キトサンの粉末を練り込んだ接着剤４が塗布されている。
【００１７】
接着剤４は、セメダイン（株）のＳＵＰＥＲ  Ｘ  ＮＯ８００８（品番）であり、キトサンは、この実施形態では、日本水産（株）のフローナックＣ−６０Ｍ（商品名）が使用されている。そして接着剤４が乾いたら、表側の接着剤４の面に、この実施形態では白色の化粧用塗料５が塗布され、化粧仕上げされる。
【００１８】
而して、本考案品１を、例えば三味線６（図２参照）の胴７（図１参照）に張る場合は、化粧用塗料５の面を外側（上側）にして、本考案品１と、胴７の間に糊を入れ、先ず本考案品１を胴７に仮貼りする。そして作業者は、例えば図３、図４に示されるように、大型の洗濯バサミ状のキセン８を使用し、紐９で引っ張って本考案品１を胴７に手張りする。
【００１９】
本考案品１は、上記の通り、合成繊維製の織布２をベースに、下地処理した層を介して接着剤４が塗布され、表側が塗料で化粧されている。従ってこれによると、強度が高くなり、また柔軟質を有するから、手張りし易くなる。
【００２０】
また本考案品１は、例えば接着剤４の層の厚みを調整することで、皮革の厚みを変更することができる。従ってこれによると、音色を容易に調節でき、例えば三味線６の本来の音色を再現し易くなる。
また本考案品１は、織布２の大きさを自由に形成できるから、これによれば、例えば大きな太鼓の場合でも、強度の高い一枚皮を容易に、且つ低コストで提供できる。
【００２１】
以上の処において、本考案品１は、接着剤４の膜厚が、表側と裏側で異なるよう形成されているのでも良い。この場合、例えば裏側に塗布される接着剤４の膜厚が、表側に塗布される接着剤４の膜厚より厚く形成されると、表側の風合いや感触を損なうことなく、目に付かない裏側部分で皮の強度を高めたり、音色を変更、調節できるものである。
【符号の説明】
【００２２】
１    本考案品
２    織布
３    下地処理剤
４    接着剤
５    化粧用塗料
６    三味線
７    胴
８    キセン
９    紐
【図１】
0003161847.tif 000003
【図２】
0003161847.tif 000004
【図３】
0003161847.tif 000005
【図４】
0003161847.tif 000006